(57)【要約】【課題】ＬＥＤ光源において、光源品質に影響を及ぼすことなくパーツ数をさらに低減するとともに、コストも低減する。【解決手段】ＬＥＤ光源１０は中空コア１４を備えたケーシング１２を有しており、中空コア１２はケーシングから突出している。プリント回路基板１８によりケーシング１２の開口端部１９が閉鎖される。プリント配線板１８にはＬＥＤ２０が取り付けられている。ライトガイド２２が中空コア１４内に配置されている。ライトガイド２２の第２の端部２６は中空コア１４から突出し、そこには第１の反射器２８が取り付けられている。延長部をもつ一体型ヒートシンクを形成するためケーシング１２は熱伝導性であり、熱放射フィン５２を備えた延長ボディ部５０を有している。プリント配線板１８ｂは熱伝導性のベース３０を有しており、これは直立したＶ字型リムを介してケーシング１２とダイレクトに接触している。【選択図】図１
2006222085.tif 000002
【特許請求の範囲】
【請求項１】
ＬＥＤ光源において、
ケーシングと、該ケーシングから突出した中空コアが設けられており、該中空コアは縦方向軸を中心に配置されており、
プリント配線板が設けられており、該プリント配線板により前記ケーシングが前記中空コアの一方の端部のところで閉鎖され、該プリント配線板の中央を中心にして複数のＬＥＤが機能するよう該プリント配線板に取り付けられており、
前記中空コア内に配置され所定の壁厚をもつボディを備えたライトガイドが設けられており、該ライトガイドは前記複数のＬＥＤと機能的に関係している第１の端部と、前記中空コアを超えて突出する第２の端部を有しており、該ライトガイドの第２の端部に第１の反射器が取り付けられており、
前記ケーシングは熱伝導性であり、該ケーシングにより延長部をもつ一体型のヒートシンクが形成され、前記プリント配線板は、該ケーシングとじかに接触している熱伝導性のベースを有することを特徴とするＬＥＤ光源。
【請求項２】
請求項１記載のＬＥＤ光源において、プリント配線板は直立したリムを有することを特徴とするＬＥＤ光源。
【請求項３】
請求項２記載のＬＥＤ光源において、
前記リムは逆Ｖ字型であることを特徴とするＬＥＤ光源。
【請求項４】
請求項３記載のＬＥＤ光源において、
前記逆Ｖ字型のリムに応力が加えられており、前記ケーシングとプレスばめされていることを特徴とするＬＥＤ光源。
【発明の詳細な説明】
【技術分野】
【０００１】
本発明は光源に関し、詳しくは発光ダイオード（１つまたは複数のＬＥＤ）を使用した光源さらに詳しくはヘッドライト、テールライト、ストップライト、フォグライト、方向指示ランプ等自動車分野で有用な光源に関する。さらに詳しくは、本発明は所要パーツ数の低減によりいっそう僅かなコストで産業上受け入れられる交換性能が得られるようパッケージングされたこの種の光源に関する。
【背景技術】
【０００２】
従来、たいていの自動車用光源には必然的に発熱電球が用いられてきた。このような電球はうまく機能するしコストがかからない一方、比較的寿命が短く、そして当然ながら、採用されている薄いフィラメントは振動に起因して絶えず破損を受けやすかった。
【０００３】
最近、いくつかの用途殊にストップライトがＬＥＤと置き換えられている。このような固体素子光源は１００，０００時間というレベルの途方もない寿命をもっているし、振動による故障にも陥りにくい。ただし、これらのＬＥＤは適切なロケーションにハードワイヤードで取り付けられており、それによって取り付けコストが増大してしまう。したがって白熱光源を取り付けるときの容易さをもつＬＥＤ光源を提供できるならば、この分野が前進することになる。また、上述の白熱電球を置き換えるために産業界で認められている交換規格を満たすＬＥＤ光源を提供できるならば、この分野がさらに先に進むことになる。
【０００４】
この種の光源は開発されており、場合によってはそれらは光ファイバまたはライトガイドとの組み合わせでＬＥＤを採用しており、これによって複数のＬＥＤの光を集めたり所望のように光を拡散させたりしている。この種の光源の１つは、２００４年１２月２０日付で出願中であり本発明の代理人が担当している特許出願No. 10/899,546 (Attorney's Docket No. 04-1-717)に開示されている。この光源は複数のライトガイドを使用しており、それらは同じ個数の複数のＬＥＤと１対１の関係におかれている。この装置構成はうまく機能する一方、コストがかかるし多数のパーツを必要とし、それらのすべてのためにかなり精確なアライメントを行わなければならない。２００５年２月１５日付で出願中であり本発明の代理人が担当する特許出願S.N. 11/058,304に開示されているように最近、単純な形式のライトガイドとともにＬＥＤを採用した光源が開発された。光源品質に影響を及ぼすことなくパーツ数をさらに低減できるならば、この分野は進歩することになる。このようなパーツ低減は、他に負けないコストを維持するために重要である。
【特許文献１】No. 10/899,546 (Attorney's Docket No. 04-1-717)
【特許文献２】S.N. 11/058,304
【発明の開示】
【発明が解決しようとする課題】
【０００５】
これまで述べてきた従来技術の欠点を克服することである。さらに本発明の課題は、ＬＥＤ光源を向上させることである。これに加えて本発明の課題は、ＬＥＤ光源のコストを低減することである。
【課題を解決するための手段】
【０００６】
本発明によればこの課題は、ＬＥＤ光源において、ケーシングと、該ケーシングから突出した中空コアが設けられており、該中空コアは縦方向軸を中心に配置されており、プリント配線板が設けられており、該プリント配線板により前記ケーシングが前記中空コアの一方の端部のところで閉鎖され、該プリント配線板の中央を中心にして複数のＬＥＤが機能するよう該プリント配線板に取り付けられており、前記中空コア内に配置され所定の壁厚をもつボディを備えたライトガイドが設けられており、該ライトガイドは前記複数のＬＥＤと機能的に関係している第１の端部と、前記中空コアを超えて突出する第２の端部を有しており、該ライトガイドの第２の端部に第１の反射器が取り付けられており、前記ケーシングは熱伝導性であり、該ケーシングにより延長部をもつ一体型のヒートシンクが形成され、前記プリント配線板は、該ケーシングとじかに接触している熱伝導性のベースを有しており、該プリント配線板によりケーシングのための閉鎖部材が形成されることにより解決される。
【０００７】
この構成を採用したことでパーツ数が低減され、したがって光源のコストが著しく改善される。
【実施例】
【０００８】
本発明を他の課題や利点ならびにそれらの機能と合わせてよく理解できるようにするため、以下で図面を参照しながら説明する。
【０００９】
細部が詳しく描かれている図面を参照すると、図１に示されているＬＥＤ光源１０は中空コア１４を備えたケーシング１２を有しており、中空コア１４はケーシング１２から突出している。中空コア１４は縦方向軸１６を中心に配置されている。アルミニウムの折り曲げ部材１８ａとすることのできる回路基板１８にフレキシブルなプリント配線板１８ｂが取り付けられていて、中空コア１４の一方の端部でケーシング１２の開口端部１９がこの回路支持体１８により閉鎖されている。さらに回路支持体１８には、その中央部を中心に複数のＬＥＤ２０が機能するよう固定されている。所定の壁厚Ｔをもつボディ２４を備えたライトガイド２２が中空コア１４内に配置されていて、その第１の端部２５は複数のＬＥＤと機能的な関係をもち、第２の端部２６は中空コア１４よりも上に突出している。ライトガイド２２の第２の端部２６には第１の反射器２８が取り付けられている。
【００１０】
延長部をもつ一体型ヒートシンクを形成するためケーシング１２は熱伝導性であり、有利には熱放射フィン５２を備えた延長ボディ部５０を有している。ケーシング１２の有利な材料は熱伝導性プラスチックであり、たとえば Cool Polymers E3603熱伝導性のポリアミドなどである。プリント配線板１８ｂは熱伝導性のベース３０を有しており、これは直立したＶ字型リム３２によってケーシング１２とダイレクトに接触している。
【００１１】
Ｖ字型リムは、ケーシング１２における開口端部１９の内壁１９ａに対しプレスばめされるよう応力が加えられている。この場合、プリント配線板を屈曲性のアルミニウムにより形成すると有利である。
【００１２】
プリント配線板１８が挿入されると配線板上の回路が電気導入線５４と押圧接触するようになり、これらの電気導入線により外部電源から電力が供給され、このようにして溶着の必要性がなくなる。
【００１３】
プリント配線板１８をケーシング１２のための閉鎖機構として利用することによってさらに、余分な閉鎖部材の取り付けに必要とされる作業に加えて、別個の閉鎖部材やＯリング、従来技術の構造におけるすべての構成部材が不要となる。また、ケーシング自体を延長部をもつヒートシンクとして利用したことによって、パーツ数ならびに光源の重量も低減する。
【００１４】
これまで本発明の有利な実施形態について説明してきたが、当業者であれば特許請求の範囲に記載された本発明の範囲を逸脱することなく、様々に手を加えたり変形したりすることができる。
【図面の簡単な説明】
【００１５】
【図１】本発明の１つの実施形態による光源を示す断面図
【図２】図１に示した実施形態の斜視図
【符号の説明】
【００１６】
１０  ＬＥＤ光源
１２  ケーシング
１４  中空コア
１６  縦方向軸
１８  回路支持体
１８ａ  折り曲げ部材
１８ｂ  プリント配線板
１９  開口端部
１９ａ  内壁
２０  ＬＥＤ
２２  ライトガイド
２４  ボディ
２５  第１の端部
２６  第２の端部
２８  第１の反射器
３２  Ｖ字型リム
５０  延長ボディ部
５２  熱放射フィン
５４  電気導入線
【図１】
2006222085.tif 000003
【図２】
2006222085.tif 000004